(57)【要約】【課題】  従来に比して容易にアラーム音を停止又はその音量を低減することが可能な検体処理装置を提供する。【解決手段】  検体分析装置は、センサにより異常が検出されれば、ブザーによりアラーム音を発生させる。アラーム音が発生していない場合において、ユーザから何らかの操作を受け付けると、その操作が所定の入力条件に合致しているときには、その入力条件に応じた処理が実行される。一方、アラーム音が発生している場合において、ユーザから何らかの操作を受け付けると、アラーム音が停止される。【選択図】    図１１
2011203197.tif 000002
【特許請求の範囲】
【請求項１】
検体を処理する検体処理装置であって、
アラーム音を発生するアラーム発生部と、
ユーザによる入力を受け付け、互いに異なる複数のコマンドを各別に発生させるための複数の入力スイッチと、
前記検体処理装置の異常を検出する異常検出部と、
前記異常検出部により異常が検出されたときに、アラーム音を発生させるよう前記アラーム発生部を制御し、前記アラーム音が発生している場合であって、前記複数の入力スイッチの何れかによる入力を受け付けたときに、前記アラーム音を停止又は音量を減少させるように前記アラーム発生部を制御する制御部と、
を備える、検体処理装置。
【請求項２】
前記制御部は、前記アラーム音が発生していない場合であって、前記複数の入力スイッチの何れかによる入力を受け付けたときに、前記入力を受け付けた入力スイッチに対応したコマンドに基づく処理を実行する、請求項１に記載の検体処理装置。
【請求項３】
前記制御部は、前記アラーム音が発生している場合であって、前記複数の入力スイッチの何れかによる入力を受け付けたときに、前記入力を受け付けた入力スイッチに対応したコマンドに基づく処理を実行しない、
請求項１又は２に記載の検体処理装置。
【請求項４】
表示部に設けられたタッチパネルを備え、
前記複数の入力スイッチの少なくとも１つは、前記タッチパネルに設けられた領域である、
請求項１乃至３の何れかに記載の検体処理装置。
【請求項５】
キーボードを備え、
前記複数の入力スイッチの少なくとも一部は、前記キーボードに配置された複数のキースイッチである、
請求項１乃至４の何れかに記載の検体処理装置。
【請求項６】
マウスを備え、
前記複数の入力スイッチの少なくとも１つは、前記マウスが有するボタンスイッチである、
請求項１乃至５の何れかに記載の検体処理装置。
【請求項７】
複数の入力装置を備え、前記複数の入力装置のそれぞれに少なくとも１つずつ前記入力スイッチが設けられている、
請求項１乃至６の何れかに記載の検体処理装置。
【請求項８】
表示部をさらに備え、
前記制御部は、前記異常検出部により異常が検出されたときに、前記異常の発生を通知するための表示を実行するように前記表示部を制御し、前記表示部により前記異常の発生を通知するための表示が実行され、且つ前記アラーム音が発生している場合であって、前記複数の入力スイッチの何れかによる入力を受け付けたときに、前記表示部による前記異常の発生を通知するための表示を継続させつつ、前記アラーム音を停止又は音量を減少させるように前記アラーム発生部を制御する、
請求項１乃至７の何れかに記載の検体処理装置。
【請求項９】
前記制御部は、所定の入力装置がユーザによる所定の入力を所定時間中に受け付けない場合には、スクリーンセーバー画面を表示するよう前記表示部を制御し、前記スクリーンセーバー画面が表示されている場合であって、前記異常検出部により異常が検出されたときに、前記スクリーンセーバー画面の表示を終了するよう前記表示部を制御する、
請求項８に記載の検体処理装置。
【請求項１０】
前記検体処理装置は、検体の測定を実行可能に構成されており、
前記複数の入力スイッチの少なくとも一部は、前記検体処理装置に検体の測定を開始させるコマンドを発生させるための入力スイッチである、
請求項１乃至９の何れかに記載の検体処理装置。
【請求項１１】
前記複数の入力スイッチの少なくとも一部は、前記検体処理装置に検体検査の結果の承認処理を実行させるコマンドを発生させるための入力スイッチである、
請求項１乃至１０の何れかに記載の検体処理装置。
【請求項１２】
前記アラーム発生部と、前記異常検出部とを具備する検体処理ユニットと、
前記検体処理ユニットと通信可能に接続されており、前記検体処理ユニットの検体処理に関する情報処理を実行する情報処理ユニットと、を備え、
前記複数の入力スイッチの少なくとも１つは、前記情報処理ユニットに設けられている、
請求項１乃至１１の何れかに記載の検体処理装置。
【請求項１３】
検体を収容した検体容器を前記検体処理ユニットへ搬送する検体搬送ユニットをさらに備え、
前記検体搬送ユニットは、ユーザにより検体容器が載置される載置部と、前記載置部に載置された検体容器を検出する検体容器センサを具備し、
前記制御部は、前記アラーム音が発生している場合であって、前記検体容器センサが検体容器を検出したときに、前記アラーム音を停止又は音量を減少させるように前記アラーム発生部を制御する、
請求項１乃至１２の何れかに記載の検体処理装置。
【請求項１４】
ユーザの操作により開閉可能なカバーと、
前記カバーの開閉を検出する開閉センサと、をさらに備え、
前記制御部は、前記アラーム音が発生している場合であって、前記開閉センサが前記カバーの開閉を検出したときに、前記アラーム音を停止又は音量を減少させるように前記アラーム発生部を制御する、
請求項１乃至１３の何れかに記載の検体処理装置。
【発明の詳細な説明】
【技術分野】
【０００１】
本発明は、血液、尿等の臨床検体を処理する検体処理装置に関する。
【背景技術】
【０００２】
被験者から採取された血液、尿等の臨床検体を処理する検体処理装置が知られている。
【０００３】
特許文献１には、検体を吸引及び吐出する分注アームを備える分注装置が開示されている。この分注装置は、三方弁、駆動源、駆動機構、及びセンサー等を電装部に接続するケーブルの断線がセンサーによって検知された場合に、エラーを出して使用者に告知するように構成されている。この特許文献１には、エラーの告知の形態として、アラーム音を発生させることが記載されている。
【先行技術文献】
【特許文献】
【０００４】
【特許文献１】特開２００４−３０１８２０号公報
【発明の概要】
【発明が解決しようとする課題】
【０００５】
かかる従来の検体処理装置においてアラーム音を停止させるためには、アラーム音を停止させるための特定の操作ボタンを装置に設けることが考えられる。しかしながら、ユーザがこの特定の操作ボタンの位置を知らなければ容易にアラーム音を停止させることができない。このため、アラーム音が発生し続けることによりユーザに不快感を与えるおそれがある。
【０００６】
本発明は斯かる事情に鑑みてなされたものであり、その主たる目的は、従来に比してユーザが容易にアラーム音を停止又はその音量を低減させることが可能な検体処理装置を提供することにある。
【課題を解決するための手段】
【０００７】
上述した課題を解決するために、本発明の一の態様の検体処理装置は、検体を処理する検体処理装置であって、アラーム音を発生するアラーム発生部と、ユーザによる入力を受け付け、互いに異なる複数のコマンドを各別に発生させるための複数の入力スイッチと、前記検体処理装置の異常を検出する異常検出部と、前記異常検出部により異常が検出されたときに、アラーム音を発生させるよう前記アラーム発生部を制御し、前記アラーム音が発生している場合であって、前記複数の入力スイッチの何れかによる入力を受け付けたときに、前記アラーム音を停止又は音量を減少させるように前記アラーム発生部を制御する制御部と、を備える。
【０００８】
この態様においては、前記制御部が、前記アラーム音が発生していない場合であって、前記複数の入力スイッチの何れかによる入力を受け付けたときに、前記入力を受け付けた入力スイッチに対応したコマンドに基づく処理を実行することが好ましい。
【０００９】
また、上記態様においては、前記制御部が、前記アラーム音が発生している場合であって、前記複数の入力スイッチの何れかによる入力を受け付けたときに、前記入力を受け付けた入力スイッチに対応したコマンドに基づく処理を実行しないことが好ましい。
【００１０】
また、上記態様においては、前記検体処理装置が、表示部に設けられたタッチパネルを備え、前記複数の入力スイッチの少なくとも１つが、前記タッチパネルに設けられた領域であることが好ましい。
【００１１】
また、上記態様においては、前記検体処理装置が、キーボードを備え、前記複数の入力スイッチの少なくとも一部が、前記キーボードに配置された複数のキースイッチであることが好ましい。
【００１２】
また、上記態様においては、前記検体処理装置が、マウスを備え、前記複数の入力スイッチの少なくとも１つが、前記マウスが有するボタンスイッチであることが好ましい。
【００１３】
また、上記態様においては、前記検体処理装置が、複数の入力装置を備え、前記複数の入力装置のそれぞれに少なくとも１つずつ前記入力スイッチが設けられていることが好ましい。
【００１４】
また、上記態様においては、前記検体処理装置が、表示部をさらに備え、前記制御部が、前記異常検出部により異常が検出されたときに、前記異常の発生を通知するための表示を実行するように前記表示部を制御し、前記表示部により前記異常の発生を通知するための表示が実行され、且つ前記アラーム音が発生している場合であって、前記複数の入力スイッチの何れかによる入力を受け付けたときに、前記表示部による前記異常の発生を通知するための表示を継続させつつ、前記アラーム音を停止又は音量を減少させるように前記アラーム発生部を制御することが好ましい。
【００１５】
また、上記態様においては、前記制御部が、所定の入力装置がユーザによる所定の入力を所定時間中に受け付けない場合には、スクリーンセーバー画面を表示するよう前記表示部を制御し、前記スクリーンセーバー画面が表示されている場合であって、前記異常検出部により異常が検出されたときに、前記スクリーンセーバー画面の表示を終了するよう前記表示部を制御することが好ましい。
【００１６】
また、上記態様においては、前記検体処理装置が、検体の測定を実行可能に構成されており、前記複数の入力スイッチの少なくとも一部が、前記検体処理装置に検体の測定を開始させるコマンドを発生させるための入力スイッチであることが好ましい。
【００１７】
また、上記態様においては、前記複数の入力スイッチの少なくとも一部が、前記検体処理装置に検体検査の結果の承認処理を実行させるコマンドを発生させるための入力スイッチであることが好ましい。
【００１８】
また、上記態様においては、前記検体処理装置が、前記アラーム発生部と、前記異常検出部とを具備する検体処理ユニットと、前記検体処理ユニットと通信可能に接続されており、前記検体処理ユニットの検体処理に関する情報処理を実行する情報処理ユニットと、を備え、前記複数の入力スイッチの少なくとも１つが、前記情報処理ユニットに設けられていることが好ましい。
【００１９】
また、上記態様においては、前記検体処理装置が、検体を収容した検体容器を前記検体処理ユニットへ搬送する検体搬送ユニットをさらに備え、前記検体搬送ユニットが、ユーザにより検体容器が載置される載置部と、前記載置部に載置された検体容器を検出する検体容器センサを具備し、前記制御部が、前記アラーム音が発生している場合であって、前記検体容器センサが検体容器を検出したときに、前記アラーム音を停止又は音量を減少させるように前記アラーム発生部を制御することが好ましい。
【００２０】
また、上記態様においては、前記検体処理装置が、ユーザの操作により開閉可能なカバーと、前記カバーの開閉を検出する開閉センサと、をさらに備え、前記制御部が、前記アラーム音が発生している場合であって、前記開閉センサが前記カバーの開閉を検出したときに、前記アラーム音を停止又は音量を減少させるように前記アラーム発生部を制御することが好ましい。
【発明の効果】
【００２１】
本発明に係る検体処理装置によれば、装置の操作に精通していないユーザであっても、従来に比して容易にアラーム音を停止又はその音量を低減させることが可能となる。
【図面の簡単な説明】
【００２２】
【図１Ａ】実施の形態に係る検体分析装置の全体構成を示す斜視図。
【図１Ｂ】実施の形態に係る検体分析装置の全体構成を示す斜視図。
【図２】検体容器の外観を示す斜視図。
【図３】検体ラックの外観を示す斜視図。
【図４】実施の形態に係る検体分析装置の構成を示す模式図。
【図５】実施の形態に係る検体分析装置が備える情報処理ユニットの構成を示すブロック図。
【図６】実施の形態に係る検体分析装置の検体測定動作の流れを示すフローチャート。
【図７】実施の形態に係る検体分析装置のバリデーション処理の手順を示すフローチャート。
【図８】実施の形態に係る検体分析装置のメニュー画面の一例を示す図。
【図９】実施の形態に係る検体分析装置の検体情報の一覧画面の一例を示す図。
【図１０】実施の形態に係る検体分析装置のアラーム音発生処理の手順を示すフローチャート。
【図１１】実施の形態に係る操作受付処理の手順を示すフローチャート。
【図１２】実施の形態に係る検体分析装置のヘルプダイアログの一例を示す図。
【発明を実施するための形態】
【００２３】
以下、本発明の好ましい実施の形態を、図面を参照しながら説明する。
【００２４】
［検体分析装置の構成］
図１Ａ及び図１Ｂは、本実施の形態に係る検体分析装置の全体構成を示す斜視図である。本実施の形態に係る検体分析装置１は、血液検体に含まれる血球を白血球、赤血球、血小板等を検出し、各血球を計数する多項目血球分析装置である。図１Ａ及び図１Ｂに示すように、検体分析装置１は、第１測定ユニット２と、第２測定ユニット３と、第１測定ユニット２及び第２測定ユニット３の前面側に配置された検体搬送ユニット４と、第１測定ユニット２、第２測定ユニット３、及び検体搬送ユニット４を制御可能な情報処理ユニット５とを備えている。
【００２５】
図２は、検体を収容する検体容器の外観を示す斜視図であり、図３は、複数の検体容器を保持する検体ラックの外観を示す斜視図である。図２に示すように、検体容器Ｔは、管状をなしており、上端が開口している。内部には患者から採取された血液検体が収容され、上端の開口は蓋部ＣＰにより密封されている。検体容器Ｔは、透光性を有するガラス又は合成樹脂により構成されており、内部の血液検体が視認可能となっている。また、検体容器Ｔの側面には、バーコードラベルＢＬが貼付されている。このバーコードラベルＢＬには、検体ＩＤを示すバーコードが印刷されている。図３に移り、検体ラックＬは、１０本の検体容器Ｔを並べて保持することが可能である。検体ラックＬでは、各検体容器Ｔが垂直状態（立位状態）で保持される。また、検体ラックＬの側面には、ラックＩＤを示すバーコードが印刷されたバーコードラベルが貼付されている（図示せず）。
【００２６】
＜測定ユニットの構成＞
図４は、本実施の形態に係る検体分析装置１の構成を示す模式図である。第１測定ユニット２は、検体搬送ユニット４の検体の搬送方向（図４に示すＸ方向）上流側（分析前ラック保持部４１側）に配置され、第２測定ユニット３は、前記搬送方向下流側（分析後ラック保持部４２側）に配置されている。図４に示すように、第１測定ユニット２は、検体である血液を検体容器（採血管）Ｔから吸引する検体吸引部２１と、検体吸引部２１により吸引した血液から血球等の血液成分の測定に用いられる測定試料を調製する試料調製部２２と、試料調製部２２により調製された測定試料から血球を検出（測定）する検出部２３とを有している。また、第１測定ユニット２は、検体搬送ユニット４のラック搬送部４３によって搬送された検体ラックＬに収容された検体容器Ｔを第１測定ユニット２の内部に取り込むための取込口２４（図１Ａ及び図１Ｂ参照）と、検体ラックＬから検体容器Ｔを第１測定ユニット２の内部に取り込み、検体吸引部２１による吸引位置まで検体容器Ｔを搬送する検体容器搬送部２５とをさらに有している。また、図１Ａ及び図１Ｂに示すように、第１測定ユニット２及び第２測定ユニット３の外側表面のそれぞれには、モード変更スイッチ２６，３６と、マニュアル測定開始指示スイッチ２７，３７とが設けられている。第１測定ユニット２及び第２測定ユニット３のそれぞれには、ドライバ基板２０，３０が設けられており、このドライバ基板２０，３０が情報処理ユニット５に接続されている。情報処理ユニット５からドライバ基板２０，３０に制御信号が与えられ、これによってドライバ基板２０，３０が第１測定ユニット２及び第２測定ユニット３の各機構を駆動するようになっている。また、第１測定ユニット２及び第２測定ユニット３には、異常が検出された際にアラーム音を発するブザー２９，３９が設けられている。ブザー２９，３９はドライバ基板２０，３０に各別に接続されており、情報処理ユニット５の制御信号によりアラーム音を発生するようになっている。
【００２７】
図４に示すように、検体吸引部２１の先端部には、吸引管２２１が設けられている。また、吸引管２２１は、鉛直方向に移動可能であり、下方に移動されることにより、吸引位置まで搬送された検体容器Ｔの蓋部ＣＰを前記吸引管が貫通し、内部の血液を吸引するように構成されている。検体吸引部２１には、圧力センサ２１ａが設けられており、この圧力センサ２１ａにより検体吸引部２１内の圧力が検出されるようになっている。この圧力センサ２１ａはドライバ基板２０を介して情報処理ユニット５に接続されており、圧力センサ２１ａの検出信号が情報処理ユニット５に与えられるようになっている。
【００２８】
試料調製部２２は、複数の反応チャンバ（図示せず）を備えている。また、試料調製部２２は、試薬タンク２２２に接続されており、試薬タンク２２２に収容された染色試薬、溶血剤、及び希釈液等の試薬を反応チャンバに供給することが可能である。試料調製部２２は、検体吸引部２１の吸引管２２１とも接続されており、吸引管２２１により吸引された血液検体を反応チャンバに供給することが可能である。かかる試料調製部２２は、反応チャンバ内で検体と試薬とを混合撹拌し、検出部２３による測定用の試料（測定試料）を調製する。試薬タンク２２２には、各試薬の残量不足を検出するフロートスイッチ２２ａが設けられている。このフロートスイッチ２２ａはドライバ基板２０を介して情報処理ユニット５に接続されており、フロートスイッチ２２ａの検出信号が情報処理ユニット５に与えられるようになっている。
【００２９】
検出部２３は、ＲＢＣ（赤血球）検出及びＰＬＴ（血小板）検出をシースフローＤＣ検出法により行うことが可能である。このシースフローＤＣ検出法によるＲＢＣ及びＰＬＴの検出においては、検体と希釈液とが混合された測定試料の測定が行われ、これにより得られた測定データを情報処理ユニット５が解析処理することによりＲＢＣ及びＰＬＴの数値データの取得が行われる。また、検出部２３は、ＨＧＢ（ヘモグロビン）検出をＳＬＳ−ヘモグロビン法により行うことが可能であり、ＷＢＣ（白血球）、ＮＥＵＴ（好中球）、ＬＹＭＰＨ（リンパ球）、ＥＯ（好酸球）、ＢＡＳＯ（好塩基球）、及びＭＯＮＯ（単球）の検出を、半導体レーザを使用したフローサイトメトリー法により行うことが可能であるように構成されている。この検出部２３では、白血球の５分類、すなわち、ＮＥＵＴ、ＬＹＭＰＨ、ＥＯ、ＢＡＳＯ、ＭＯＮＯの検出を伴わないＷＢＣの検出と、白血球の５分類を伴うＷＢＣの検出とでは、検出方法が異なっている。白血球５分類を伴わないＷＢＣの検出では、検体と、溶血剤と、希釈液とが混合された測定試料の測定が行われ、これにより得られた測定データを情報処理ユニット５が解析処理することによりＷＢＣの数値データの取得が行われる。一方、白血球５分類を伴うＷＢＣの検出では、検体と、白血球５分類用染色試薬と、溶血剤と、希釈液とが混合された測定試料の測定が行われ、これにより得られた測定データを情報処理ユニット５が解析処理することによりＮＥＵＴ、ＬＹＭＰＨ、ＥＯ、ＢＡＳＯ、ＭＯＮＯ、及びＷＢＣの数値データの取得が行われる。
【００３０】
上記の検出部２３は、図示しないフローセルを有しており、フローセルに測定試料を送り込むことでフローセル中に液流を発生させ、フローセル内を通過する液流に含まれる血球に半導体レーザ光を照射して、前方散乱光、側方散乱光及び側方蛍光を検出する構成である。
【００３１】
光散乱は、血球のような粒子が光の進行方向に障害物として存在し、光がその進行方向を変えることによって生じる現象である。この散乱光を検出することによって、粒子の大きさや材質に関する情報を得ることができる。特に、前方散乱光からは、粒子（血球）の大きさに関する情報を得ることができる。また、側方散乱光からは、粒子内部の情報を得ることができる。血球粒子にレーザ光が照射された場合、側方散乱光強度は細胞内部の複雑さ（核の形状、大きさ、密度や顆粒の量）に依存する。したがって、側方散乱光強度のこの特性を利用することで、白血球の分類の測定その他の測定を行うことができる。
【００３２】
染色された血球のような蛍光物質に光を照射すると、照射した光の波長より長い波長の光を発する。蛍光の強度はよく染色されていれば強くなり、この蛍光強度を測定することによって血球の染色度合いに関する情報を得ることができる。したがって、（側方）蛍光強度の差によって、白血球の分類の測定その他の測定を行うことができる。
【００３３】
また、検出部２３にはヒータ２３ａが設けられており、ヒータ２３ａにより検出部２３が加温されるようになっている。さらに検出部２３には、温度センサ２３ｂが設けられている。ヒータ２３ａ及び温度センサ２３ｂはドライバ基板２０に接続されており、ドライバ基板２０によりヒータ２３ａが駆動され、温度センサ２３ｂの検出信号がドライバ基板２０を介して情報処理ユニット５に与えられるようになっている。情報処理ユニット５は、温度センサ２３ｂによって検出された温度が所定範囲を超えている場合に、検出部２３の温度に異常があると判定する。
【００３４】
検体容器搬送部２５の構成について説明する。検体容器搬送部２５は、検体容器Ｔを把持可能なハンド部２５ａを備えている。ハンド部２５ａは、互いに対向して配置された一対の把持部材を備えており、この把持部材を互いに近接及び離反させることが可能である。かかる把持部材を、検体容器Ｔを挟んだ状態で近接させることにより、検体容器Ｔを把持することができる。また、検体容器搬送部２５は、ハンド部２５ａを上下方向及び前後方向（Ｙ方向）に移動させることができ、さらに、ハンド部２５ａを揺動させることができる。これにより、検体ラックＬに収容され、第１検体供給位置４３ａに位置した検体容器Ｔをハンド部２５ａにより把持し、その状態でハンド部２５ａを上方に移動させることにより検体ラックＬから検体容器Ｔを抜き出し、ハンド部２５ａを揺動させることにより、検体容器Ｔ内の検体を撹拌することができる。
【００３５】
また、検体容器搬送部２５は、検体容器Ｔを挿入可能な穴部を有する検体容器セット部２５ｂを備えている。上述したハンド部２５ａによって把持された検体容器Ｔは、撹拌完了後移動され、把持した検体容器Ｔを検体容器セット部２５ｂの穴部に挿入する。その後、把持部材を離反させることにより、ハンド部２５ａから検体容器Ｔが開放され、検体容器セット部２５ｂに検体容器Ｔがセットされる。かかる検体容器セット部２５ｂは、図示しないステッピングモータの動力によって、Ｙ方向へ水平移動可能である。
【００３６】
検体容器セット部２５ｂは、検体吸引部２１による吸引位置２１ｂへ移動可能である。検体容器セット部２５ｂが吸引位置へ移動したときには、検体吸引部２１により、セットされた検体容器Ｔから検体が吸引される。
【００３７】
また、モード変更スイッチ２６は、検体搬送ユニット４により検体ラックＬを搬送して自動的に検体の測定を行うサンプラ測定モードと、オペレータが手動で検体容器Ｔを１つずつ検体容器セット部２５ｂにセットして検体の測定を行うマニュアル測定モードとの間で動作モードを切り替えるためのボタンスイッチである。モード変更スイッチ２６は情報処理ユニット５に接続されており、モード変更スイッチ２６が押されると、動作モードの切り替えを指示するコマンドが発生し、情報処理ユニット５のＣＰＵ５１ａに与えられるようになっている。情報処理ユニット５のＣＰＵ５１ａはモード変更スイッチ２６に対応したコマンドを受け付けると、動作モードをサンプラ測定モードからマニュアル測定モードへ、又はマニュアル測定モードからサンプル測定モードへ変更する。つまり、ユーザは当該モード変更スイッチ２６を１回押す毎に、サンプラ測定モードとマニュアル測定モードとを切り替えることが可能である。
【００３８】
マニュアル測定開始指示スイッチ２７は、第１測定ユニット２による検体のマニュアル測定の開始を指示するためのボタンスイッチである。マニュアル測定開始指示スイッチ２７が押されると、検体のマニュアル測定の開始を指示するコマンドが発生し、情報処理ユニット５のＣＰＵ５１ａに与えられる。ユーザは、モード変更スイッチ２６により動作モードをマニュアル測定モードとした状態で、マニュアル測定開始指示スイッチ２７を押すことにより、第１測定ユニット２に対して検体のマニュアル測定の指示を与えることができる。マニュアル測定開始指示スイッチ２７は情報処理ユニット５に接続されており、マニュアル測定開始指示スイッチ２７に対応したコマンドが発生し、情報処理ユニット５のＣＰＵ５１ａに与えられるようになっている。情報処理ユニット５のＣＰＵ５１ａは、動作モードがマニュアル測定モードのときに、マニュアル測定開始指示スイッチ２７に対応したコマンドを受け付けると、検体セット部２５ｂを図１Ｂに示すように前方へ突き出すように移動させ、検体容器Ｔがセットされた検体セット部２５ｂが第１測定ユニット２の内部に取り込ませ、検体の測定を実行させる。
【００３９】
図１Ｂに示すように、第１測定ユニット２及び第２測定ユニット３の前面上部は開閉自在なカバー２８及び３８が設けられている。カバー２８は、その上端においてヒンジにより第１測定ユニット２の筐体に回動自在に接続されており、図中矢印方向に開放することができる。カバー２８を開くことで、第１測定ユニット２の内部を露出させ、試薬の交換及びメンテナンス作業が可能となる。カバー２８，３８の内側には、カバーの開閉を検出する開閉センサ２８ａ，３８ａが設けられている。開閉センサ２８ａ，３８ａはドライバ基板２０，３０に接続されており、情報処理ユニット５にそれぞれの検出信号を出力可能に接続されている。
【００４０】
第１測定ユニット２及び第２測定ユニット３は、上記の構成以外にも各機構部分に各種センサが設けられており、これらのセンサがドライバ基板２０，３０に接続されている。これにより、センサの検出信号がドライバ基板２０，３０を介して情報処理ユニット５に与えられ、各機構部分の動作異常が検出可能となっている。
【００４１】
次に、第２測定ユニット３の構成について説明する。第２測定ユニット３の構成は、第１測定ユニット２の構成と同一であり、第２測定ユニット３は、検体吸引部３１と、検体吸引部３１により吸引した血液から血球等の血液成分の測定に用いられる測定試料を調製する試料調製部３２と、試料調製部３２により調製された測定試料から血球を検出する検出部３３、試薬タンク３２２とを有している。また、第２測定ユニット３は、検体搬送ユニット４のラック搬送部４３によって搬送された検体ラックＬに収容された検体容器Ｔを第２測定ユニット３の内部に取り込むための取込口３４（図１Ａ及び図１Ｂ参照）と、検体ラックＬから検体容器Ｔを第２測定ユニット３の内部に取り込み、検体吸引部３１による吸引位置まで検体容器Ｔを搬送する検体容器搬送部３５とをさらに有している。検体吸引部３１、吸引管３２１、圧力センサ３１ａ、試料調製部３２、フロートスイッチ３２ａ、検出部３３、試薬タンク３２２、ヒータ３３ａ、温度センサ３３ｂ、取込口３４、検体容器搬送部３５、ドライバ基板３０、モード変更スイッチ３６、マニュアル測定開始指示スイッチ３７、カバー３８、開閉センサ３８ａ、及びブザー３９の構成は、それぞれ検体吸引部２１、吸引管２２１、圧力センサ２１ａ、試料調製部２２、フロートスイッチ２２ａ、検出部２３、試薬タンク２２２、ヒータ２３ａ、温度センサ２３ｂ、取込口２４、検体容器搬送部２５、ドライバ基板２０、モード変更スイッチ２６、マニュアル測定開始指示スイッチ２７、カバー２８、開閉センサ２８ａ、及びブザー２９の構成と同様であるので、その説明を省略する。
【００４２】
かかる第２測定ユニット３は、第１測定ユニット２と同様に、上記のＣＢＣ＋ＤＩＦＦ項目であるＷＢＣ、ＲＢＣ、ＰＬＴ、ＨＧＢ、ＮＥＵＴ、ＬＹＭＰＨ、ＥＯ、ＢＡＳＯ、及びＭＯＮＯの各測定項目について検体の測定が可能となっている。
【００４３】
＜検体搬送ユニットの構成＞
次に、検体搬送ユニット４の構成について説明する。図１Ａ及び図１Ｂに示すように、検体分析装置１の第１測定ユニット２及び第２測定ユニット３の前方には、検体搬送ユニット４が配置されている。かかる検体搬送ユニット４は、第１測定ユニット２及び第２測定ユニット３へ検体を供給するために、検体ラックＬを搬送することが可能である。
【００４４】
図４に示すように、検体搬送ユニット４は、分析が行われる前の検体を収容する検体容器Ｔを保持する複数の検体ラックＬを一時的に保持することが可能な分析前ラック保持部４１と、第１測定ユニット２又は第２測定ユニット３によって検体が吸引された検体容器Ｔを保持する複数の検体ラックＬを一時的に保持することが可能な分析後ラック保持部４２と、検体を第１測定ユニット２又は第２測定ユニット３に供給するために、検体ラックＬを図中矢印Ｘ方向へ水平に直線移動させ、分析前ラック保持部４１から受け付けた検体ラックＬを分析後ラック保持部４２へ搬送するためのラック搬送路４３と、バーコード読取部４４と、検体容器Ｔの有無を検知する検体容器センサ４５とを備えている。
【００４５】
分析前ラック保持部４１は、平面視において四角形をなしており、その幅は検体ラックＬの幅より若干大きくなっている。この分析前ラック保持部４１は、周囲の面よりも一段低く形成されており、その上面に分析前の検体ラックＬが載置される。分析前ラック保持部４１には、検体ラックＬを検出するためのラックセンサ４１１が設けられている。ラックセンサ４１１は、光学式センサであり、発光部４１１ａと受光部４１１ｂとを備えている。発光部４１１ａ及び受光部４１１ｂは、分析前ラック保持部４１を傾斜してに横切る方向に対向配置されており、受光部４１１ｂは分析前ラック保持部４１を跨いで発光部４１１ａから発せられた光を受けるようになっている。したがって、分析前ラック保持部４１に載置された検体ラックＬによって、発光部４１１ａから発せられた光が遮られ、受光部４１１ｂの受光レベルが下がることにより、当該検体ラックＬがラックセンサ４１１により検出される。ラックセンサ４１１の検出信号は、情報処理ユニット５に与えられるようになっている。
【００４６】
また、分析前ラック保持部４１の両側面からは、内側へ向けてラック送込部４１ｂが突出可能に設けられている。このラック送込部４１ｂが突出することにより検体ラックＬと係合し、この状態で後方（ラック搬送路４３に近接する方向）へ移動することにより、検体ラックＬが後方へと移送される。かかるラック送込部４１ｂは、分析前ラック保持部４１の下方に設けられた図示しないステッピングモータによって駆動可能に構成されている。
【００４７】
ラック搬送路４３は、図４に示すように、分析前ラック保持部４１によって移送された検体ラックＬを、前記Ｘ方向へと移送するための搬送路である。このラック搬送路４３上には、図４に示す第１測定ユニット２へ検体を供給するための第１検体供給位置４３ａ、及び第２測定ユニット３へ検体を供給するための第２検体供給位置４３ｂが存在する。検体搬送ユニット４は、ベルトコンベヤからなる搬送機構４３１を有しており、この搬送機構４３１によって検体ラックをラック搬送路４３に沿って搬送可能となっている。検体搬送ユニット４は、情報処理ユニット５によって制御され、第１検体供給位置４３ａ又は第２検体供給位置４３ｂに検体を搬送した場合には、対応する測定ユニットのハンド部２５ａ又は３５ａが搬送された検体容器Ｔを把持し、検体ラックＬから検体容器Ｔを取り出すことで検体を第１測定ユニット２又は第２測定ユニット３へ供給する。このようにして検体容器Ｔを把持したハンド部２５ａ又は３５ａが前述したように第１測定ユニット２又は第２測定ユニット３の筐体内へと進入し、これによって第１測定ユニット２又は第２測定ユニット３内に検体が取り込まれる。検体搬送ユニット４は、第１測定ユニット２又は第２測定ユニット３に検体が取り込まれている間もラック搬送路４３上において検体ラックＬを搬送することが可能である。したがって、第１測定ユニット２及び第２測定ユニット３の一方が検体を取り込み中の間は、この測定ユニットにはさらに検体を取り込ませることはできないので、他方の測定ユニットへ検体ラックＬを搬送し、検体を取り込ませる。また、検体容器Ｔから検体の吸引が完了した後は、当該検体容器Ｔが第１測定ユニット２又は第２測定ユニット３から排出され、取り込み前に保持されていた検体ラックＬの保持位置に戻される。
【００４８】
バーコード読取部４４は、検体容器ＴのバーコードラベルＢＬに印刷されたバーコードを読み取り、また検体ラックＬに貼付されたバーコードラベルに印刷されたバーコードを読み取るように構成されている。また、検体ラックＬのバーコードラベルに印刷されたバーコードは、各ラックに固有に付されたものであり、検体の分析結果の管理などに使用される。ラック搬送路４３上には、上述した第１検体供給位置４３ａと第２検体供給位置４３ｂとの間にバーコード読取位置４３ｄが設けられており、上記のようなバーコード読取部４４は、このバーコード読取位置４３ｄの近傍に配置されている。これにより、バーコード読取部４４がバーコード読取位置４３ｄに位置した検体容器Ｔの検体バーコードを読み取ることができる。
【００４９】
検体容器センサ４５は、接触型のセンサであり、のれん形状の接触片、光を出射する発光素子、及び受光素子（図示せず）を有している。検体容器センサ４５は、接触片が検出対象の被検出物に当接することにより屈曲され、その結果、発光素子から出射された光が接触片により反射されて受光素子に入射するように構成されている。これにより検体容器センサ４５の下方を検体ラックＬに収容された検出対象の検体容器Ｔが通過する際に、接触片が検体容器Ｔにより屈曲されて、検体容器Ｔを検出することが可能である。検体容器センサ４５は、バーコード読取位置４３ｄに設けられている。これにより、バーコード読取位置４３ｄにおける検体容器Ｔの有無を検体容器センサ４５で検出することができる。
【００５０】
ラック搬送路４３の搬送方向下流側端には、後述する分析後ラック保持部４２が設けられており、この分析後ラック保持部４２の後方にラック送出部４６が設けられている。かかるラック送出部４６は、図示しないステッピングモータの駆動力により矢印Ｙ方向に水平に直線移動するように構成されている。これにより、分析後ラック保持部４２とラック送出部４６との間の位置４６１（以下、「分析後ラック送出位置」という。）に検体ラックＬが搬送された場合に、ラック送出部４６を分析後ラック保持部４２側に移動することによって、検体ラックＬを押動させて分析後ラック保持部４２内に移動することが可能である。
【００５１】
分析後ラック保持部４２は、平面視において四角形をなしており、その幅は検体ラックＬの幅より若干大きくなっている。この分析後ラック保持部４２は、周囲の面よりも一段低く形成されており、その上面に分析が完了した検体ラックＬが載置される。分析後ラック保持部４２は、上記のラック搬送路４３に連なっており、上述したように、ラック送出部４６によって、ラック搬送路４３から検体ラックＬが送り込まれるようになっている。
【００５２】
上記の検体搬送ユニット４は、ドライバ基板２０に接続されており、情報処理ユニット５へ各センサの検出信号を送信可能であり、また各機構部分が情報処理ユニット５からの制御信号に応じて駆動されるようになっている。このような構成とすることにより、検体搬送ユニット４は、分析前ラック保持部４１に載置された検体ラックＬをラック搬送路４３へと移送し、さらに搬送機構４３１がラック搬送路４３上に沿って検体をバーコード読取位置４３ｄへと搬送し、検体容器の有無の検出及び検体ＩＤの読み取りを行い、さらに検体ＩＤを読み取った検体を第１検体供給位置４３ａ又は第２検体供給位置４３ｂへと搬送して、第１測定ユニット２又は第２測定ユニット３に供給することができる。また、吸引が完了した検体を収容する検体ラックＬは、ラック搬送部４３により、分析後ラック送出位置４６１へと移送され、ラック送出部４６により分析後ラック保持部４２へ送出される。複数の検体ラックＬが分析前ラック保持部４１に載置された場合では、分析が完了した検体を収容する検体ラックＬが次々にラック送出部４６により分析後ラック保持部４２へと送出され、これらの複数の検体ラックＬが分析後ラック保持部４２に貯留されることとなる。
【００５３】
検体搬送ユニット４は、上記の構成以外にも各機構部分に各種センサが設けられており、これらのセンサがドライバ基板２０に接続されている。これにより、センサの検出信号がドライバ基板２０を介して情報処理ユニット５に与えられ、各機構部分の動作異常が検出可能となっている。
【００５４】
＜情報処理ユニットの構成＞
次に、情報処理ユニット５の構成について説明する。情報処理ユニット５は、コンピュータにより構成されている。図５は、情報処理ユニット５の構成を示すブロック図である。情報処理ユニット５は、コンピュータ５ａによって実現される。図５に示すように、コンピュータ５ａは、本体５１と、画像表示部５２と、キーボード５３と、マウス５４と、タッチパネル５５とを備えている。本体５１は、ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、及び画像出力インタフェース５１ｈを備えており、ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、及び画像出力インタフェース５１ｈは、バス５１ｊによって接続されている。
【００５５】
読出装置５１ｅは、コンピュータを情報処理ユニット５として機能させるためのコンピュータプログラム５７ａを可搬型記録媒体５７から読み出し、当該コンピュータプログラム５７ａをハードディスク５１ｄにインストールすることが可能である。
【００５６】
画像表示部５２は液晶パネルを備えている。図１Ａ及び図１Ｂに示すように、画像表示部５２の画面にはタッチパネル５５が付設されている。図５に示すように、画面表示部５２は、情報処理ユニット５の画像出力インタフェース５１ｈに接続されており、画像出力インタフェース５１ｈから出力される画像信号に応じて画面表示を行う。また、タッチパネル５５は入出力インタフェース５１ｆに接続されており、タッチパネル５５からの出力信号は情報処理ユニット５のＣＰＵ５１ａに与えられる。かかるタッチパネル５５は、画像表示部５２にアイコン、ボタン等の選択可能なグラフィカルユーザインタフェースオブジェクト（コントロール）が表示されている場合、当該オブジェクトに対応する領域がソフトウェアキー（以下、「タッチキースイッチ」という。）として機能する。即ち、ユーザがグラフィカルユーザインタフェースオブジェクトに対応するタッチキースイッチに触れると、当該オブジェクトの選択に対応するコマンドがＣＰＵ５１ａにより生成される。発生したコマンドはＣＰＵ５１ａに与えられ、ＣＰＵ５１ａがコンピュータプログラム５７ａにしたがって当該コマンドに応じた処理を実行する。
【００５７】
図１Ａ及び図１Ｂに示すように、検体分析装置１にはキーボード５３及びマウス５４が設けられている。図５に示すように、キーボード５３及びマウス５４のそれぞれは、情報処理ユニット５の入出力インタフェース５１ｆに接続されており、キーボード５３のキースイッチ５３ａが押下されると、押されたキースイッチ５３ａに対応した信号がキーボード５３から出力され、情報処理ユニット５のＣＰＵ５１ａが当該信号に対応するコマンドを生成する。発生したコマンドはＣＰＵ５１ａに与えられ、ＣＰＵ５１ａがコンピュータプログラム５７ａにしたがって当該コマンドに応じた処理を実行する。同様に、マウス５４が有するボタンスイッチ５４ａが押下されると、ボタンスイッチ５４ａに対応したコマンドが発生し、情報処理ユニット５のＣＰＵ５１ａに与えられる。例えば、特定のファクションキースイッチが押されると、当該ファンクションキーに対応付けられた処理の実行を指示するコマンドが発生し、当該コマンドがＣＰＵ５１ａに与えられる。また、マウス５４のボタンスイッチ５４ａが押されると、マウスカーソルによって示されるアイコンの選択、決定等を指示するコマンドが発生し、ＣＰＵ５１ａに与えられる。なお、マウス５４が動かされた場合には、マウスカーソルの異動を指示するコマンドが発生し、ＣＰＵ５１ａに与えられる。
【００５８】
図１Ａ及び図１Ｂに示すように、検体分析装置１にはハンディバーコードリーダ５６が設けられている。ハンディバーコードリーダ５６は、ケーブルにより情報処理ユニット５に接続されている。かかるハンディバーコードリーダ５６はスイッチ５６ａ及びラインセンサ（図示せず）を有しており、このスイッチ５６ａが押された状態でラインセンサによりバーコードを読み出すことができる。図５に示すように、ハンディバーコードリーダ５６は、情報処理ユニット５の入出力インタフェース５１ｆに接続されており、スイッチ５６ａが押下されると、バーコードの読み取りを指示するコマンドが発生し、情報処理ユニット５のＣＰＵ５１ａに与えられる。このとき、ラインセンサの検出信号も、情報処理ユニット５のＣＰＵ５１ａに与えられる。
【００５９】
また、第１測定ユニット２及び第２測定ユニット３のそれぞれは、入出力インタフェース５１ｆに通信可能に接続されている。これにより、第１測定ユニット２及び第２測定ユニット３からの出力信号を入出力インタフェース５１ｆにより受信し、また入出力インタフェース５１ｆから制御信号を第１測定ユニット２及び第２測定ユニット３に与えてこれらを動作させることができる。
【００６０】
また、情報処理ユニット５は、分析結果表示画面、検体情報の一覧画面、測定オーダの登録画面等、検体分析に用いられる画面を画像表示部５２に表示させることができる。このような画面が表示されている間に、所定時間（例えば１０分間）にキーボード５３、マウス５４、又はタッチパネル５５の入力操作が行われなかったときには、スクリーンセーバーが起動するようになっている。
【００６１】
［検体分析装置１の動作］
以下に、検体分析装置１の動作例を説明する。
【００６２】
＜検体測定動作＞
図６は、検体測定動作の流れを示すフローチャートである。サンプラ測定モードが設定されているときに、画像表示部５２の表示画面に表示されたサンプラ測定開始アイコン（タッチキースイッチ）がユーザにより選択された場合、又は、マニュアル測定モードが設定されているときに、マニュアル測定開始指示スイッチ２７，３７が押下された場合、検体分析装置１に検体測定の開始指示が与えられる。まずＣＰＵ５１ａは、サンプラ測定開始アイコンの選択、又は、マニュアル測定開始指示スイッチ２７，３７の押下が検出されたか否かを判定する（ステップＳ３０１）。
【００６３】
測定開始の指示を受け付けると（ステップＳ３０１においてＹＥＳ）、ＣＰＵ５１ａは、第１測定ユニット２又は第２測定ユニット３を制御して、検体の分析を実行する（ステップＳ３０２）。この検体の分析動作では、検体容器Ｔの測定ユニットへの取り込み、読み取られた検体ＩＤに対応する測定オーダの取得、検体の吸引、検体ラックＬへの検体容器Ｔの返却、測定試料の調製、取得された測定オーダに基づく測定試料の測定、及び測定ユニットから出力された測定結果の情報処理ユニット５による解析が行われる。また、このようにして得られた検体の分析結果は、情報処理ユニット５のハードディスク５１ｄに記憶される。その後、ＣＰＵ５１ａは処理を終了する。
【００６４】
＜バリデーション処理＞
上記のような検体の分析結果は、ユーザにより承認（バリデーション）され、承認された分析結果が医師に報告される。検体分析装置１は、かかる分析結果のバリデーションの機能を有している。図７は、検体分析装置１によるバリデーション処理の手順を示すフローチャートである。検体分析装置１を起動すると、情報処理ユニット５の画像表示部５２にはログイン画面が表示される。ユーザがログイン画面においてユーザ名及びパスワードを入力し、情報処理ユニット５にログイン指示を与えると、ＣＰＵ５１ａはログイン処理を実行する（ステップＳ４０１）。ユーザ認証が成功すると、ＣＰＵ５１ａは画像表示部５２にメニュー画面を表示させる（ステップＳ４０２）。
【００６５】
図８は、メニュー画面の一例を示す図である。図に示すように、メニュー画面Ｗ１は画面上部のメニューバー領域Ａ１と、その下側のツールバー領域Ａ２と、当該ツールバー領域Ａ２の下側に設けられ、メニュー画面Ｗ１の大部分を占めるワーク領域Ａ３とを有する。これらの領域Ａ１〜Ａ３は、情報処理ユニット５の表示画面の全てにおいて共通して設けられている。メニューバー領域Ａ１には、「ファイル」、「編集」、「表示」等のメニュー（タッチキースイッチ）が並んでおり、それぞれのメニューはマウス５４の操作、予め割り当てられたキーボード５３のショートカットキーの押下、又はタッチパネル５５のそのメニュー上の位置の押下によって選択される。メニューが選択されると、選択されたメニューに対応したプルダウンメニューの表示を指示するコマンドがＣＰＵ５１ａに与えられ、ＣＰＵ５１ａは受け付けたコマンドに基づいて画像表示部５２にプルダウンメニューを表示させる。各プルダウンメニューには、複数のメニューが並んでおり、これらのうちの１つをマウス操作、ショートカットキー押下、又はタッチパネルのメニュー上の位置の押下によって選択することで、当該メニューを実行することができる。ツールバー領域Ａ２には、複数のアイコン（タッチキースイッチ）が並んでいる。各アイコンの下側には、「印字」、「設定」、「メニュー」等のアイコンの名称が表示されている。各アイコンは、そのアイコンの絵柄及び名称が示す機能を有している。即ち、「印字」のアイコンが選択されると、印刷処理を指示するコマンドが情報処理ユニット５のＣＰＵ５１ａに与えられ、ＣＰＵ５１ａはコマンドを受け付けると印刷処理を実行し、情報処理ユニット５に接続されたプリンタ（図示せず）に画面に表示中の内容を印刷させる。各アイコンの選択は、そのアイコンに割り当てられたショートカットキーの押下、マウス５４のポインタがアイコン上に位置した状態におけるボタンスイッチ５４ａの押下、及びタッチパネル５５におけるアイコンの位置の押下によって可能である。
【００６６】
また、メニュー画面Ｗ１のワーク領域Ａ３には、複数のアイコン（タッチキースイッチ）Ｑ１〜Ｑ６が表示される。アイコンＱ１は、分析結果を表示させる機能が割り当てられた「データブラウザ」アイコンであり、アイコンＱ２は、設定画面を表示させる機能が割り当てられた「コントローラ」アイコンであり、アイコンＱ３は、過去に分析された検体の情報の一覧画面を表示させる機能が割り当てられた「サンプルエクスプローラ」アイコンであり、アイコンＱ４は、測定オーダの登録画面を表示させる機能が割り当てられた「測定登録」アイコンであり、アイコンＱ５は、検体分析装置１の精度管理に用いられる精度管理画面を表示させる機能が割り当てられた「精度管理」アイコンであり、アイコンＱ６は、印刷の設定画面を表示させる機能が割り当てられた「ＧＰ印刷設定」アイコンである。これらのアイコンＱ１〜Ｑ６も、上記と同様に選択することが可能である。
【００６７】
ＣＰＵ５１ａは、上記のようなメニュー画面において、「サンプルエクスプローラ」アイコンの選択を受け付けたか否か、即ち、ハードディスク５１ｄに記憶されている検体情報の一覧画面（サンプルエクスプローラ画面）の表示指示を受け付けたか否かを判定する（ステップＳ４０３）。かかる指示を受け付けていない場合には（ステップＳ４０３においてＮＯ）、ＣＰＵ５１ａは処理をステップＳ４０３へ戻し、入力の受け付けを待機する。一方、検体情報の一覧画面の表示指示を受け付けた場合には（ステップＳ４０３においてＹＥＳ）、ＣＰＵ５１ａは、検体情報をハードディスク５１ｄから読み出し（ステップＳ４０４）、画像表示部５２に検体情報の一覧画面を表示させる（ステップＳ４０５）。
【００６８】
図９は、検体情報の一覧画面の一例を示す図である。サンプルエクスプローラ画面Ｗ２には、上述したメニュー画面と同様に、メニューバー領域Ａ１、ツールバー領域Ａ２及びワーク領域Ａ３が設けられている。サンプルエクスプローラ画面Ｗ２のツールバー領域Ａ２には、バリデートアイコン（タッチキースイッチ）Ｑ２１が設けられている。このバリデートアイコンＱ２１には、選択されている分析結果の承認を実行する機能が割り当てられており、アイコンＱ２１に割り当てられたショートカットキーの押下、マウス５４のポインタがアイコンＱ２１上に位置した状態におけるボタンスイッチ５４ａの押下、及びタッチパネル５５におけるアイコンＱ２１の位置の押下によってアイコンＱ２１の選択が可能である。
【００６９】
サンプルエクスプローラ画面Ｗ２のワーク領域Ａ３は、検体の情報を一覧表示するリスト領域Ａ３１、検体が採取された患者に関する情報を表示する患者情報領域Ａ３２、及びリスト領域Ａ３１において選択された分析結果を表示する分析結果領域Ａ３３に分割されている。リスト領域Ａ３１においては、表示されている検体情報のうちの何れか１つをユーザのマウス操作又はタッチパネル操作によって選択可能である。このようにして検体情報が選択されると、当該検体に関する患者情報が患者情報領域Ａ３２に表示され、当該検体の分析結果が分析結果領域Ａ３３が表示される。ユーザは、このようにして表示された検体の分析結果を確認し、分析結果が医師に報告可能な内容であれば、アイコンＱ２１を選択して承認する。ＣＰＵ５１ａは、このような検体の分析結果の承認指示を受け付けたか否かを判定し（ステップＳ４０６）、承認指示を受け付けない場合には（ステップＳ４０６においてＮＯ）、処理をステップＳ４０８へ移す。一方、検体の分析結果の承認指示を受け付けた場合には（ステップＳ４０６においてＹＥＳ）、ＣＰＵ５１ａはその検体の分析結果の承認処理を実行する（ステップＳ４０７）。この処理においては、その検体の分析結果に対応させて、承認済の旨を示す情報がハードディスク５１ｄに記憶される。
【００７０】
次にＣＰＵ５１ａは、シャットダウンの指示を受け付けたか否かを判定する（ステップＳ４０８）。この処理は、メニューバー領域Ａ１のメニューからシャットダウンメニューが選択されたか否かを判定することにより行われる。シャットダウンの指示を受け付けていない場合には（ステップＳ４０８においてＮＯ）、ＣＰＵ５１ａは処理をステップＳ４０６へ戻し、シャットダウンの指示を受け付けた場合には（ステップＳ４０８においてＹＥＳ）、シャットダウン処理を実行し（ステップＳ４０９）、処理を終了する。
【００７１】
＜アラーム音発生処理＞
次に、アラーム音発生処理について説明する。図１０は、検体分析装置１のアラーム音発生処理の手順を示すフローチャートである。このアラーム音発生処理において、まずＣＰＵ５１ａは、第１測定ユニット２、第２測定ユニット３又は検体搬送ユニット４において異常が検出されたか否かを判定する（ステップＳ５０１）。この処理においては、第１測定ユニット２、第２測定ユニット３、又は検体搬送ユニット４の動作異常が検出されたか否かが判断される。例えば、第１測定ユニット２又は第２測定ユニット３の圧力センサ２１ａ又は３１ａの検出信号に基づいて、検体吸引部２１又は３１の圧力異常が検出された場合、フロートスイッチ２２ａ，３２ａの検出信号に基づいて、第１測定ユニット２又は第２測定ユニット３の試薬残量不足が検出された場合、温度センサ２３ｂ，３３ｂの検出信号に基づいて、検出部２３又は３３の温度異常が検出された場合等が該当する。その他、検体量不足、バーコード読取異常、検体ラックの搬送異常、各種モータの動作異常、検出部２３，３３の発光部の光量異常等も検出される。ステップＳ５０１の処理において、異常が検出されなかった場合には（ステップＳ５０１においてＮＯ）、アラーム音発生処理は終了する。
【００７２】
ステップＳ５０１の処理において異常が検出された場合には（ステップＳ５０１においてＹＥＳ）、ＣＰＵ５１ａは、アラーム発生信号をドライバ基板２０，３０へ送信する（ステップＳ５０２）。これにより、ドライバ基板２０，３０がブザー２９，３９を駆動してアラーム音が発生する。検体分析装置１は大規模な検査センターのような検査施設に設置されることがあり、このような検査施設には、血液、尿などの検体を分析する多数の分析装置の他、各分析装置に試薬を供給する試薬供給装置、、各分析装置を接続する搬送ラインなどが設けられている。それらの装置の稼働により検査施設内には大きな音が発生していることがあるため、検体分析装置１では、ブザー２９，３９が比較的大きなアラーム音を継続的に発生するように駆動される。
【００７３】
次にＣＰＵ５１ａは、スクリーンセーバーが画像表示部５２に表示中であるか否かを判定する（ステップＳ５０３）。スクリーンセーバーが表示中である場合（ステップＳ５０３においてＹＥＳ）、ＣＰＵ５１ａはスクリーンセーバーの表示を解除し（ステップＳ５０４）、処理をステップＳ５０５へと移す。一方、ステップＳ５０３においてスクリーンセーバーが表示中でない場合（ステップＳ５０３においてＮＯ）、ＣＰＵ５１ａは処理をステップＳ５０５へ移す。
【００７４】
ステップＳ５０５において、ＣＰＵ５１ａは、検出された異常に関する情報を示したヘルプダイアログボックスを画像表示部５２に表示させ（ステップＳ５０５）、アラーム音発生処理を終了する。図１２は、ヘルプダイアログボックスの一例を示す図である。このヘルプダイアログボックス５２１は、検出された異常の名称が表示されるエラーリスト表示エリア５２１ａと、エラーリスト表示エリア５２１ａで選択された異常に対応するアクションメッセージが表示されるアクション表示エリア５２１ｂを有している。また、ヘルプダイアログボックス５２１にはアラーム停止ボタン５２１ｃが設けられており、アラーム発生中にこのアラーム停止ボタン５２１ｃを押すことによって、アラーム音を停止させることができる。なお、ヘルプダイアログボックス５２１には異常の発生箇所を表示してもよい。
【００７５】
上記のヘルプダイアログボックス５２１はスクリーンセーバーの表示が解除された後に画像表示部５２に表示されるため、ユーザは画像表示部５２に表示されたエラー情報に容易に気付くことができる。
【００７６】
＜操作受付処理＞
次に、操作受付処理について説明する。図１１は、検体分析装置１の操作受付処理の手順を示すフローチャートである。ますＣＰＵ５１ａは、ユーザによる検体分析装置１に対する何らかの操作を受け付けたか否かを判定する（ステップＳ６０１）。この処理では、検体分析装置１の入力装置であるキーボード５３、マウス５４、タッチパネル５５に対する何らかの入力操作を受け付けたか否かだけでなく、ハンディバーコードリーダ５６のスイッチ５６ａが押下されたか否か、カバー２８又は３８が開かれ、これを開閉センサ２８ａ又は３８ａが検出したか否か、検体搬送ユニット４の分析前ラック保持部４１に検体ラックＬが載置され、当該検体ラックＬをラックセンサ４１１が検出したか否かについても判断される。なお、ＣＰＵ５１ａは、キーボード５３に配置された複数のキースイッチのうち何れのキースイッチが押された場合であっても、タッチパネル５５上の何れのタッチキースイッチが押された場合であっても、ユーザからの操作を受け付けたと判定する。また、タッチパネル５５上のタッチキースイッチ以外の領域が単に押された場合、又はマウス５４が単に動かされた場合であっても、ユーザからの操作を受け付けたと判定する。このような操作が受け付けられなければ（ステップＳ６０１においてＮＯ）、ＣＰＵ５１ａは、操作が受け付けられるまでステップＳ６０１の処理を繰り返す。
【００７７】
一方、ユーザの操作を受け付けた場合には（ステップＳ６０１においてＹＥＳ）、ＣＰＵ５１ａは、アラーム音が発生中であるか否かを判定する（ステップＳ６０２）。アラーム音が発生中でない場合（ステップＳ６０２においてＮＯ）、ＣＰＵ５１ａは、その操作が所定の入力条件に合致しているか否かを判定する（ステップＳ６０３）。この処理では、例えば、メニュー画面Ｗ１（図８参照）が表示されている場合においては、「サンプラエクスプローラ」アイコンＱ３の選択に割り当てられたショートカットキーの押下を受け付けたり、タッチパネル５５の当該アイコン上の位置の押下を受け付けたりした場合には、サンプルエクスプローラ画面を表示するための入力条件に合致したと判断される。また、サンプルエクスプローラ画面Ｗ２（図９参照）が表示されている場合において、バリデートアイコンＱ２１の選択に割り当てられたショートカットキーの押下を受け付けたり、タッチパネル５５の当該アイコン上の位置の押下を受け付けたりした場合には、承認処理を実行するための入力条件に合致したと判断される。さらに、モード変更スイッチ２６，３６の押下を受け付けた場合には、測定モードを変更するための入力条件に合致したと判断され、マニュアル測定モードが設定されているときにマニュアル測定開始指示スイッチ２７，３８の押下を受け付けた場合には、マニュアル測定を実行するための入力条件に合致したと判断される。また、測定オーダの登録画面が画像表示部５２に表示されている場合に、文字や数字等に対応するキースイッチ５３ａが押された場合には、押されたキースイッチに対応する文字や数字等を登録画面に表示させるための入力条件に合致したと判断される。
【００７８】
ユーザの操作が所定の入力条件に合致している場合には（ステップＳ６０３においてＹＥＳ）、ＣＰＵ５１ａは、その入力条件に応じた所定の処理を実行する（ステップＳ６０４）。つまり、上記の例では、サンプルエクスプローラ画面を表示するための入力条件に合致した場合にはサンプルエクスプローラ画面の表示処理が実行され、検体の分析結果の承認処理を実行するための入力条件に合致した場合には、検体の分析結果の承認処理が実行され、測定モードを変更するための入力条件に合致した場合には、測定モードの変更処理が実行され、マニュアル測定を実行するための入力条件に合致した場合には、マニュアル測定が実行され、文字や数字等を登録画面に表示させための入力条件に合致した場合には、押されたキースイッチに対応する文字、数字等が登録画面に表示される。かかる所定の処理を実行した後、ＣＰＵ５１ａは処理を終了する。
【００７９】
一方、ユーザの操作が所定の入力条件に合致していない場合には（ステップＳ６０３においてＮＯ）、ＣＰＵ５１ａは、何ら処理を実行することなくアラーム停止処理を終了する。
【００８０】
またステップＳ６０２においてアラーム音が発生中である場合には（ステップＳ６０２においてＹＥＳ）、ＣＰＵ５１ａは、アラーム停止信号をドライバ基板２０，３０へ送信し（ステップＳ６０５）、アラーム音を停止させる。これにより、キーボード５３の任意の入力キースイッチ５３ａが操作された場合、マウス５４のボタンスイッチ５４ａが操作された場合、マウス５４が動かされた場合、タッチパネル５５の何れかの位置が押下された場合、ハンディバーコードリーダ５６のスイッチ５６ａが押下された場合、モード変更スイッチ２６，３６が押下された場合、マニュアル測定開始指示スイッチ２７，３７が押下された場合、カバー２８，３８が開かれた場合、分析前ラック保持部４１に検体ラックＬが載置された場合等、ユーザが何らかの操作を行った場合に、アラーム音が停止される。ここで、アラーム音が発生中に上述の操作がユーザにより行われたとき、これらの操作が上述のステップＳ６０３において述べた所定の条件に合致していたとしても、ＣＰＵ５１ａは、それらの条件に応じた処理を実行しない。例えば、マニュアル測定モードが設定されているときにアラーム音が発生し、そのアラーム音の発生中にマニュアル測定開始指示スイッチ２７，３８の押下を受け付けても、ＣＰＵ５１ａは測定ユニットにマニュアル測定を開始させない。また、サンプルエクスプローラ画面Ｗ２が表示されている場合にアラーム音が発生し、そのアラーム音の発生中にバリデートアイコンＱ２１が押されても、ＣＰＵ５１ａはバリデーション処理を実行しない。これにより、装置に不慣れなユーザであっても、安心して任意の操作を行って、アラーム音を停止させることができる。
【００８１】
次にＣＰＵ５１ａは、エラー復帰処理が完了したか否か、即ちエラーに対する対処がされ、異常が取り除かれたか否かを判定する（ステップＳ６０６）。エラー復帰処理が完了していない場合には（ステップＳ６０６においてＮＯ）、ＣＰＵ５１ａはエラー復帰処理が完了するまでステップＳ６０６の処理を繰り返す。一方、エラー復帰処理が完了している場合には（ステップＳ６０６においてＹＥＳ）、ＣＰＵ５１ａはエラー表示を解除し（ステップＳ６０７）、アラーム音停止処理を終了する。
【００８２】
このような構成とすることにより、本実施の形態にかかる検体分析装置１は、ユーザが操作可能な複数の操作部分の何れかが操作されることにより、アラーム音を停止することができるので、当該検体分析装置１の操作に熟練していない者でも迅速にアラーム音を停止させることができる。
【００８３】
また、キーボード５３、マウス５４、タッチパネル５５、モード変更スイッチ２６，３６、マニュアル測定開始指示スイッチ２７，３７等の何れが操作された場合であってもアラーム音を停止することができる。これにより、ユーザは自分に近い位置にある操作部分を操作すればアラーム音を停止することができるので、ユーザの利便性がよい。
【００８４】
また、アラーム音が消去された場合であっても、エラーが解消されるまでは、画像表示部５２がエラー表示を継続している。そのため、例えば、アラーム音を消去したユーザとは異なるユーザが装置を操作することになった時に、装置の異常がまだ解消されていない場合であっても、画像表示部５２にエラー表示が継続しているため、装置に異常が発生していることを容易に認識することができる。
【００８５】
（その他の実施の形態）
なお、上述した実施の形態においては、ユーザから何らかの操作がされた場合にアラーム音を停止する構成について述べたが、これに限定されるものではなく、ユーザから何らかの操作がされた場合に、アラーム音の音量を減少させる構成であってもよい。
【００８６】
また、上述した実施の形態においては、キーボード５３、マウス５４、タッチパネル５５等の複数の入力装置が設けられ、これらの入力装置の何れかの入力装置の入力スイッチ（キーボード５３のキースイッチ５３ａ、マウス５４のボタンスイッチ５４ａ等）において入力操作が検出された場合に、アラーム音を停止する構成について述べたが、これに限定されるものではない。１つの入力装置のみが設けられており、この入力装置に複数の入力スイッチが設けられている場合において、何れかの入力スイッチに対する入力操作が検出されたときに、アラームを停止する構成としてもよい。例えば、検体分析装置が入力装置としてタッチパネルしか設けられていない場合に、このタッチパネル上の何れかの位置に対する押下が検出されたときに、アラーム音を停止する構成とすることができる。
【００８７】
また、上述した実施の形態においては、ユーザが操作可能な操作部分の何れが操作されてもアラーム音を停止する構成について述べたが、本発明はこれに限定されない。ユーザが操作可能な操作部分のうち一部のものが操作された場合には、アラーム音を停止させない構成であってもよい。例えばハンディバーコードリーダ５６のスイッチ５６ａが操作された場合にはアラーム音を停止させない構成とすることもできる。また、１つの入力装置に設けられた複数の入力スイッチのうち、一部の複数の入力スイッチの何れかに対する入力操作が検出された場合にはアラーム音を停止し、他の複数の入力スイッチに対する入力操作が検出された場合にはアラーム音を停止しない構成であってもよい。例えばキーボード５３に配置された複数のキースイッチ５３ａのうち、キーボードの奥（上部）に配置されているファンクションキースイッチに対する入力操作が検出された場合にはアラーム音を停止せず、ファンクションキースイッチ以外の他の複数のキースイッチの何れかに対する入力操作が検出された場合にはアラーム音を停止させる構成であってもよい。
【００８８】
また、上述した実施の形態においては、ハンディバーコードリーダ５６のスイッチ５６ａが操作された場合にアラーム音が停止される構成について述べたが、これに限定されるものではなく、ハンディバーコードリーダに加速度センサ等が設けられており、これによってハンディバーコードリーダの移動が検出された場合に、アラーム音が停止される構成としてもよい。
【００８９】
また、上述した実施の形態においては、ユーザによる何らかの操作が検出された場合に、アラーム音を停止する構成について述べたが、アラーム音が停止された後所定時間経過してもエラーが解消されていない場合に、再度アラーム音を出力する構成としてもよい。このようにすることにより、異常の復帰作業が行われずに検体分析装置１が放置されることを防止することができる。
【００９０】
また、上述した実施の形態においては、スクリーンセーバーの表示中にエラーが検出された場合に、スクリーンセーバーの表示を解除してエラー表示を行い、これに伴ってアラーム音を発生させる構成について述べたが、これに限定されるものではない。スクリーンセーバーの表示中にエラーが検出された場合に、スクリーンセーバーの表示を解除せずにアラーム音を発生させ、ユーザからの何らかの操作が検出されたときに、アラーム音の解除に伴ってスクリーンセーバーの表示を解除する構成としてもよい。
【００９１】
また、上述した実施の形態においては、第１測定ユニット２及び第２測定ユニット３の何れかにおいて異常が検出された場合に、第１測定ユニット２及び第２測定ユニットの各々においてアラーム音を発生させる構成について述べたが、これに限定されるものではなく、第１測定ユニット２及び第２測定ユニット３のうち異常が検出された一方においてアラーム音を発生させ、他方においてはアラーム音を発生させない構成とすることもできる。
【００９２】
また、上述した実施の形態においては、第１測定ユニット２又は第２測定ユニット３のカバー２８又は３８が開かれたときにアラーム音を停止させる構成について述べたが、これに限定されるものではない。例えば検体又は試薬をキュベットに分注する分注ピペットを備え、当該分注ピペットがユーザによって動かされた場合にアラーム音を停止させる構成、廃棄キュベット、廃液等を収容している引出し可能な廃棄ボックスを備え、当該廃棄ボックスがユーザによって引き出された場合にアラーム音を停止させる構成等、他の操作によってアラーム音を停止させる構成としてもよい。また、消耗品であるキュベット又はピペットチップを収容する収容部及び当該収容部を覆う開閉可能なカバーを備え、当該カバーをユーザが開閉する操作によってアラーム音を停止させる構成としてもよい。さらに、検体を分注する検体分注ピペット機構、試薬を分注する試薬分注ピペット機構、その他の検体処理機構を収容する装置本体を覆う開閉可能なカバーを備え、当該カバーをユーザが開閉する操作によってアラーム音を停止させる構成としてもよい。
【００９３】
また、上述した実施の形態においては、検体分析装置１が多項目血球分析装置とした場合について述べたが、これに限定されるものではなく、尿分析装置、血液凝固測定装置、免疫分析装置、生化学分析装置等、被験者から採取された臨床検体を分析する他の検体分析装置であってもよい。また、検体分析装置ではなく、検体の塗抹標本を作製する塗抹標本作製装置、及び遺伝子増幅検出装置のような臨床検体を処理する検体処理装置であってもよい。
【産業上の利用可能性】
【００９４】
本発明の検体処理装置は、血液、尿等の臨床検体を処理する検体処理装置として有用である。
【符号の説明】
【００９５】
１      検体分析装置
２      第１測定ユニット
３      第２測定ユニット
２０，３０      ドライバ基板
２１，３１      検体吸引部
２１ａ，３１ａ      圧力センサ
２２，３２      試料調製部
２２ａ，３２ａ      液面センサ
２３，３３      検出部
２３ａ，３３ａ      ヒータ
２３ｂ，３３ｂ      温度センサ
２６，３６      モード変更スイッチ
２７，３７      マニュアル測定開始指示スイッチ
２８，３８      カバー
２８ａ，３８ａ      センサ
２９，３９      ブザー
４      検体搬送ユニット
４１      分析前ラック保持部
４１１      ラックセンサ
４２      分析後ラック保持部
４３      ラック搬送部
５      情報処理ユニット
５ａ      コンピュータ
５１ａ      ＣＰＵ
５１ｂ      ＲＯＭ
５１ｃ      ＲＡＭ
５１ｄ      ハードディスク
５１ｅ      読出装置
５２      画像表示部
５３      キーボード
５３ａ      キースイッチ
５４      マウス
５４ａ      ボタンスイッチ５４ａ
５５      タッチパネル
５６      ハンディバーコードリーダ
５６ａ      スイッチ
５７      可搬型記録媒体
５７ａ      コンピュータプログラム
Ｔ      検体容器
Ｌ      検体ラック
【図１Ａ】
2011203197.tif 000003
【図１Ｂ】
2011203197.tif 000004
【図２】
2011203197.tif 000005
【図３】
2011203197.tif 000006
【図４】
2011203197.tif 000007
【図５】
2011203197.tif 000008
【図６】
2011203197.tif 000009
【図７】
2011203197.tif 000010
【図１０】
2011203197.tif 000011
【図１１】
2011203197.tif 000012
【図１２】
2011203197.tif 000013
【図８】
2011203197.tif 000014
【図９】
2011203197.tif 000015